(57)【要約】【課題】携帯電話機の赤外線データ転送時において、残りのデータ転送時間がわからないために、携帯電話機の使用者が感じる煩わしさを軽減する。【解決手段】開示される携帯端末の赤外線データ転送方法は、他端末との間で赤外線によるデータの送受信を行う機能を備えた携帯端末において、他端末との間の赤外線データ送受信開始時、送信側携帯端末と受信側携帯端末との間で通信速度と転送データサイズとを決定して、送信側携帯端末から受信側携帯端末への赤外線データの転送処理を開始し、受信側携帯端末において、送信側携帯端末から送られたファイルサイズを通信速度で除算して算出した全体のデータ転送時間から受信データ転送時間を減算して残りのデータ転送時間を求めて表示手段において表示する。【選択図】      図５
2004282512.tif 000002
【特許請求の範囲】
【請求項１】
他端末との間で赤外線によるデータの送受信を行う機能を備えた携帯端末において、
他端末との間の赤外線データ送受信開始時、送信側携帯端末と受信側携帯端末との間で通信速度と転送データサイズとを決定して、送信側携帯端末から受信側携帯端末への赤外線データの転送処理を開始し、前記受信側携帯端末において、所定データサイズを前記通信速度で除算して算出した全体のデータ転送時間から受信データ転送時間を減算して残りのデータ転送時間を求めて表示することを特徴とする携帯端末の赤外線データ転送方法。
【請求項２】
前記受信側端末において、前記所定データサイズと、前記転送データサイズとデータ転送回数とによって定まる受信済みデータのサイズとの比率によってデータ受信率を求めて表示することを特徴とする請求項１記載の携帯端末の赤外線データ転送方法。
【請求項３】
前記送信側端末において、前記所定データサイズを前記通信速度で除算して算出した全体のデータ転送時間から送信データ転送時間を減算して残りのデータ転送時間を求めて表示することを特徴とする請求項１記載の携帯端末の赤外線データ転送方法。
【請求項４】
前記送信側端末において、前記所定データサイズと、前記転送データサイズとデータ転送回数とによって定まる送信済みデータのサイズとの比率によってデータ送信率を求めて表示することを特徴とする請求項３記載の携帯端末の赤外線データ転送方法。
【請求項５】
前記所定データサイズが、送信側携帯端末から受信側携帯端末へ送られるファイルサイズであることを特徴とする請求項１乃至４のいずれか一記載の携帯端末の赤外線データ転送方法。
【請求項６】
前記所定データサイズが、送信側携帯端末から受信側携帯端末へ送られるファイル名に対応する所定データサイズであることを特徴とする請求項１乃至４のいずれか一記載の携帯端末の赤外線データ転送方法。
【請求項７】
前記ファイル名に対応する所定データサイズが、前記ファイル名に対応するデータオブジェクトの最大データサイズであることを特徴とする請求項６記載の携帯端末の赤外線データ転送方法。
【請求項８】
前記携帯端末が、携帯電話機であることを特徴とする請求項１乃至７のいずれか一記載の携帯端末の赤外線データ転送方法。
【発明の詳細な説明】
【０００１】
【発明の属する技術分野】
この発明は、携帯端末の赤外線データ転送方法に係り、詳しくは、携帯電話機等において赤外線データ転送を行う場合に、データ転送時間とデータ転送率とを使用者に通知することが可能な、携帯端末の赤外線データ転送方法に関する。
【０００２】
【従来の技術】
携帯電話機におけるデータの赤外線転送は既に知られており、一部では実用に供されている。
図８は、従来の携帯電話機における赤外線データ転送時の手順を示したものであって、例えば、電話帳のデータを転送する場合を例示している。
【０００３】
従来の携帯電話機において、データの赤外線転送を行おうとする場合には、図８に示すように、まず、送信側携帯電話機は、受信側携帯電話機との接続が完了したのちに、”Ｃｏｎｎｅｃｔ”  を送信する（８０１）。受信側携帯電話機は正常に”Ｃｏｎｎｅｃｔ”  を受信したら、”Ｓｕｃｃｅｓｓ”  を送信する（８０２）。接続時に送受信するデータのパケットサイズと通信速度との情報を相互にやりとりするので、接続が完了した時点で、通信速度と１回あたりの転送データサイズとが、送信側携帯電話機と受信側携帯電話機との間で決定する。
【０００４】
次に、送信側携帯電話機は、正常に”Ｓｕｃｃｅｓｓ”  を受信したら、ファイル名を送信する（８０３）。受信側携帯電話機は、正常にファイル名を受信したら、”Ｃｏｎｔｉｎｕｅ”を送信する（８０４）。送信側携帯電話機は、正常に”Ｃｏｎｔｉｎｕｅ”を受信したら、データを送信する（８０５）。受信側携帯電話機は、正常にデータを受信したら、”Ｃｏｎｔｉｎｕｅ”を送信する（８０６）。以後、データの全体のサイズ（ファイルサイズ）に応じてデータ送信回数が変化するため、ファイルサイズに応じて、８０７，８０８，…，８０９，８１０のように、分割してデータを送信する。
【０００５】
送信側携帯電話機は、最終データを送信する（８１１）。この際、送信側携帯電話機では、最後のデータには、最終フラグを立てて送信する。受信側携帯電話機は、正常に最終データを受信したら、”Ｓｕｃｃｅｓｓ”  を送信する（８１２）。送信側携帯電話機は、正常に”Ｓｕｃｃｅｓｓ”  を受信したら、”Ｄｉｓｃｏｎｎｅｃｔ”を送信する（８１３）。受信側携帯電話機は、正常に”Ｄｉｓｃｏｎｎｅｃｔ”を受信したら、”Ｓｕｃｃｅｓｓ”  を送信する（８１４）。
【０００６】
このように、従来の携帯電話機の赤外線データ転送においては、予め定まっているデータサイズごとに、順次、データを転送して、最後に最終データフラグを使用して転送終了を通知するため、データ転送開始時に、全体のデータサイズの情報を送信することは行っていない。
【０００７】
【特許文献１】
特開２００１−１７７８７６
【特許文献２】
特開２００２−１２４９０７
【特許文献３】
特開平１１−０１５７６２
【特許文献４】
特開平１１−１１３０５９
【０００８】
【発明が解決しようとする課題】
携帯電話機において、赤外線データ転送を用いて、例えば７００件からなる電話帳の全件転送を行うためには、２〜３分の時間を必要とする。
この場合、従来機種の携帯電話機では、赤外線データ転送中を示す画面を表示しているだけなので、使用者は、残りのデータ転送にどの程度の時間がかかるのかわからないため、煩わしく感じるという問題があった。
【０００９】
この発明は上述の事情に鑑みてなされたものであって、携帯電話機において赤外線データ転送中に、残りのデータ転送時間とデータ転送率とを使用者に通知することが可能な、携帯端末の赤外線データ転送方法を提供することを目的としている。
【００１０】
【課題を解決するための手段】
上記課題を解決するため、請求項１記載の発明は携帯端末の赤外線データ転送方法に係り、他端末との間で赤外線によるデータの送受信を行う機能を備えた携帯端末において、他端末との間の赤外線データ送受信開始時、送信側携帯端末と受信側携帯端末との間で通信速度と転送データサイズとを決定して、送信側携帯端末から受信側携帯端末への赤外線データの転送処理を開始し、上記受信側携帯端末において、所定データサイズを上記通信速度で除算して算出した全体のデータ転送時間から受信データ転送時間を減算して残りのデータ転送時間を求めて表示することを特徴としている。
【００１１】
また、請求項２記載の発明は、請求項１記載の携帯端末の赤外線データ転送方法に係り、上記受信側端末において、上記所定データサイズと、上記転送データサイズとデータ転送回数とによって定まる受信済みデータのサイズとの比率によってデータ受信率を求めて表示することを特徴としている。
【００１２】
また、請求項３記載の発明は、請求項１記載の携帯端末の赤外線データ転送方法に係り、上記送信側端末において、上記所定データサイズを上記通信速度で除算して算出した全体のデータ転送時間から送信データ転送時間を減算して残りのデータ転送時間を求めて表示することを特徴としている。
【００１３】
また、請求項４記載の発明は、請求項３記載の携帯端末の赤外線データ転送方法に係り、上記送信側端末において、上記所定データサイズと、上記転送データサイズとデータ転送回数とによって定まる送信済みデータのサイズとの比率によってデータ送信率を求めて表示することを特徴としている。
【００１４】
また、請求項５記載の発明は、請求項１乃至４のいずれか一記載の携帯端末の赤外線データ転送方法に係り、上記所定データサイズが、送信側携帯端末から受信側携帯端末へ送られるファイルサイズであることを特徴としている。
【００１５】
また、請求項６記載の発明は、請求項１乃至４のいずれか一記載の携帯端末の赤外線データ転送方法に係り、上記所定データサイズが、送信側携帯端末から受信側携帯端末へ送られるファイル名に対応する所定データサイズであることを特徴としている。
【００１６】
また、請求項７記載の発明は、請求項６記載の携帯端末の赤外線データ転送方法に係り、上記ファイル名に対応する所定データサイズが、上記ファイル名に対応するデータオブジェクトの最大データサイズであることを特徴としている。
【００１７】
また、請求項８記載の発明は、請求項１乃至７のいずれか一記載の携帯端末の赤外線データ転送方法に係り、上記携帯端末が、携帯電話機であることを特徴としている。
【００１８】
【発明の実施の形態】
以下、図面を参照して、この発明の実施の形態について説明する。説明は、実施例を用いて具体的に行う。なお、以下においては、携帯端末が携帯電話機である場合について説明を行うが、この場合に限るものでなく、赤外線データ転送機能を備えるものであれば、他の種類の携帯端末であってもよい。
【００１９】
◇第１実施例
図１は、本発明の携帯端末の赤外線データ転送方法が適用される携帯電話機の構成例を示すブロック図、図２は、本発明の第１実施例である携帯端末の赤外線データ転送方法における赤外線制御ソフトウエアの構成を示すブロック図、図３は、本実施例の携帯端末の赤外線データ転送方法における赤外線転送時間及びデータ受信率の表示を示す図、図４は、本実施例の携帯端末の赤外線データ転送方法における全体の動作を説明するフローチャート、図５は、本実施例の携帯端末の赤外線データ転送方法における受信側携帯端末のデータ転送処理を示すフローチャート、図６は、本実施例の携帯端末の赤外線データ転送方法における赤外線転送の手順を示すシーケンスチャートである。
【００２０】
この例の携帯電話機は、図１に示すように、アンテナ１０１と、無線部１０２と、赤外線デバイス１０３と、表示部１０４と、操作部１０５と、制御部１０６と、音声処理部１０７と、スピーカ１０８と、レシーバ１０９と、マイク１１０とから概略構成されている。
【００２１】
アンテナ１０１は、無線信号と電波との相互の変換を行う。無線部１０２は、アンテナ１０１から入力された無線信号を復調して制御部１０６に出力し、制御部１０６から入力された信号を変調して無線信号としてアンテナ１０１に出力する。赤外線デバイス１０３は、制御部１０６から出力された電気信号を赤外線信号に変換して図示されない相手側携帯電話機に出力し、相手側携帯電話機から入力された赤外線信号を電気信号に変換して制御部１０６に入力する。
【００２２】
表示部１０４は、制御部１０６から出力された表示データに基づいて各種データの表示を行う。操作部１０５は、使用者の操作に基づいて各種操作信号を制御部１０６に入力する。
制御部１０６は、ＣＰＵ（Ｃｅｎｔｒａｌ  Ｐｒｏｃｅｓｓｉｎｇ  Ｕｎｉｔ  ）１１１を備え、操作部１０５からの操作入力に基づいて、無線部１０２に対するデータの送受信の制御を行い、音声処理部１０７に対する音声データの入出力の制御を行い、赤外線デバイス４０３に対する赤外線データの入出力の制御を行う。
【００２３】
音声処理部１０７は、マイク１１０から入力された音声信号を音声データに変換して制御部１０６に出力し、制御部１０６から入力された音声データを音声信号に変換してスピーカ１０８とレシーバ１０９に出力する。スピーカ１０８は、音声処理部１０７から入力された音声信号を音声に変換して送出する。レシーバ１０９は、音声処理１０７から入力された音声信号を音声に変換して送出する。マイク１１０は、入力された音声を音声信号に変換して音声処理部１０７に出力する。
【００２４】
図１に示された携帯電話機は、制御部１０６の制御に基づいて、無線部１０２，アンテナ１０１を介して図示されない基地局との間で無線信号による通信を行う。
アンテナ１０１で受信された無線信号は、無線部１０２で受信しようとする信号周波数を選択し周波数変換して増幅し復調して、受信データに変換されて制御部１０６に出力される。制御部１０６は、受信データを処理して、ディジタル音声信号を音声処理部１０７に出力し、音声処理部１０７は、これをアナログ電気信号に変換して、レシーバ１０９から音声として出力する。また、制御部１０６から出力されたベル音や着信メロディ等のディジタル音声信号は、音声処理部１０７においてアナログ電気信号に変換され、スピーカ１０８から音として送出される。
【００２５】
また、音声入力はマイク１１０でアナログ電気信号に変換され、音声処理部１０７でディジタル音声信号に変換されて制御部１０６に入力され、制御部１０６では、入力された信号を処理して送信音声データを生成する。生成された音声データによって、無線部１０２では変調の処理を行って規定周波数の無線信号を生成し増幅して、アンテナ１０１を経て送信する。
【００２６】
制御部１０６は、操作部１０５を監視して、使用者の操作を検出し判断して、操作に基づく処理を行う。表示部１０４では、制御部１０６から出力される各種データを、表示面上に可視表示する。
また、制御部１０６は、赤外線デバイス１０３を監視して、赤外線入出力信号に対して、ＩｒＤＡ（Ｉｎｆｒａｒｅｄ  Ｄａｔａ  Ａｓｓｏｃｉａｔｉｏｎ  ）変復調の処理を行う。
【００２７】
この例の携帯端末の赤外線データ転送方法における、赤外線制御ソフトウエアは、図２に示すように、アプリケーション層２０１と、ＯＢＥＸ（Ｏｂｊｅｃｔ  Ｅｘｃｈａｎｇｅ  ）層２０２と、ＩｒＤＡ層２０２と、プロトコルスタック層２０３とから概略構成されている。
【００２８】
アプリケーション層２０１は、制御部１０６で処理されたデータを、その種類に応じてＯＢＥＸ層２０２へ引き渡し、又はＯＢＥＸ層２０２から受け取ったデータをそのの種類に応じて制御部１０６へ引き渡す。
ＯＢＥＸ層２０２では、アプリケーション層２０１から指定されたデータを通信相手に送信し、又は通信相手から送信されたデータを受信して、アプリケーション層２０１へ引き渡す。ＯＢＥＸ層２０２で扱えるデータの種類としては、ｖＣａｒｄ  （電話帳データ），ｖＭｅｓｓａｇｅ（メールデータ），ｖＢｏｏｋｍａｒｋ  （ブックマークデータ），ｖＣａｌｅｎｄｅｒ  （スケジュールデータ），ｖＮｏｔｅ  （画像データ，メロディデータ）等がある。
【００２９】
ＩｒＤＡプロトコルスタック層２０３では，ＯＢＥＸ層２０２から指定されたデータを赤外線デバイス２０４（図１の赤外線デバイス１０３に対応する）を介して通信相手に送信し、又は通信相手から赤外線デバイス２０４を介して送信されたデータを受信してＯＢＥＸ層２０２へ引き渡す。
ＯＢＥＸ層２０２から受信したデータサイズと、通信速度と、１回の処理ごとに転送するデータのパケットサイズとを、アプリケーション層２０１で使用することによって、表示部１０４において、残りの赤外線データ転送時間とデータ転送率の表示が行われる。
【００３０】
図３は、この例の携帯電話機において、表示部１０４において行われる赤外線転送時間及びデータ受信率の表示を例示したものであって、３０１に示す赤外線通信中の表示と、３０２に示すデータ受信率の表示と、３０２に示す残り転送時間（例えば１分５０秒）の表示とが行われることが示されている。
【００３１】
次に、図４に示すフローチャートを参照して、この例の携帯端末の赤外線データ転送方法における全体の動作について説明する。
最初、赤外線の接続を開始する（ステップ４０１）。赤外線の接続が完了したら（ステップ４０２）、転送相手との通信速度と、１回の処理ごとに転送するデータのパケットサイズを決定し（ステップ４０３）。その後、データ転送処理を起動する（ステップ４０４）。
ステップ４０２で、赤外線の接続が完了しない場合は、タイムアウトの処理を行って（ステップ４０５）、処理を終了する。
【００３２】
また、受信側携帯端末のデータ転送処理は、図５に示すフローチャートに従って行われる。
まず、受信側携帯電話機は送信側携帯電話機からデータのファイル名を受信する（ステップ５０１）。受信側携帯電話機はこのファイル名によって、受信すべき対象（データオブジェクト）を特定する。受信側携帯電話機が受け入れることができないデータオブジェクトの場合は、以後の処理は行われない。続いて送信側携帯電話機からファイルサイズを受信する（ステップ５０２）。
【００３３】
受信側携帯電話機は、ファイルサイズを通信速度で除算して、全体の赤外線データの転送時間を算出する（ステップ５０３）。そして、表示部１０４において、残りのデータ転送時間と、データ受信率を表示する（ステップ５０４）。データ転送時間の残りは、全体のデータ転送時間から、これまでのデータ転送時間を１秒ごとに減算することによって算出される。また、データ受信率は、全体のデータサイズとこれまでの受信済みデータサイズとの比率によって決定される。受信済みデータサイズは、受信データサイズ（パケットサイズ）とデータ受信回数（受信パケット数）とから定められる。
【００３４】
その後、データ転送を繰り返して行い、その都度、データ転送が完了したか否かをみて（ステップ５０５）、未完了の場合は次の１回分のパケットデータを受信し（ステップ５０６）、表示部１０４のデータ受信率を更新する（ステップ５０７）処理を繰り返して行って、データ転送が完了したときは、処理を終了する。
【００３５】
送信側携帯電話機においても、ファイルサイズと、通信速度と、１回の処理ごとに送信するデータのパケットサイズ及びデータ送信回数（送信パケット数）とから、残りの転送時間とデータ送信率とを算出して、表示部に表示する。
【００３６】
なお、ファイルサイズは、携帯電話機において必須の情報ではないため、受信側携帯電話機がファイルサイズを受信する機能をサポートしていない場合には、ファイルサイズの情報は棄却される。
【００３７】
以下、図６に示すシーケンスチャートを参照して、この例の携帯端末の赤外線データ転送方法の手順を説明する。
送信側携帯電話機は、受信側携帯電話機との接続が完了したのちに、”Ｃｏｎｎｅｃｔ”  を送信する（６０１）。受信側携帯電話機は正常に”Ｃｏｎｎｅｃｔ”  を受信したら、”Ｓｕｃｃｅｓｓ”  を送信する（６０２）。接続が完了した時点で、通信速度と１回あたりの転送データのパケットサイズが、送信側携帯電話機と受信側携帯電話機とで決定する。
【００３８】
次に、送信側携帯電話機は、正常に”Ｓｕｃｃｅｓｓ”  を受信したら、ファイル名を送信する（６０３）。受信側携帯電話機は、正常にファイル名を受信したら、”Ｃｏｎｔｉｎｕｅ”を送信する（６０４）。送信側携帯電話機は、正常に”Ｃｏｎｔｉｎｕｅ”を受信したら、ファイルサイズを送信する（６０５）。受信側携帯電話機は、正常にファイルサイズを受信したら、”Ｃｏｎｔｉｎｕｅ”を送信する（６０６）。送信側携帯電話機は、正常に”Ｃｏｎｔｉｎｕｅ”を受信したら、データの送信を行う（ステップ６０７）。以後、全体のデータサイズに応じてデータ送信回数が変化するため、ファイルサイズに応じて、６０９，６１０，…，６１１，６１２のように、データを送信する。
【００３９】
送信側携帯電話機は、最終データを送信する（６１３）。この際、送信側携帯電話機では、最後のデータには、最終フラグを立てて送信する。受信側携帯電話機は、正常に最終データを受信したら、”Ｓｕｃｃｅｓｓ”  を送信する（６１４）。送信側携帯電話機は、正常に”Ｓｕｃｃｅｓｓ”  を受信したら、”Ｄｉｓｃｏｎｎｅｃｔ”を送信する（６１５）。受信側携帯電話機は、正常に”Ｄｉｓｃｏｎｎｅｃｔ”を受信したら、”Ｓｕｃｃｅｓｓ”  を送信する（６１６）。
【００４０】
この例の携帯端末における赤外線データ転送方法では、例えば受信側携帯端末の場合、図６に示すように、携帯電話機の赤外線データ転送動作中に、送信側携帯電話機からファイルサイズの情報を送信することによって、受信側携帯電話機でファイルサイズを通信速度で除算して全体のデータ転送時間を求め、全体のデータ転送時間からこれまでのデータ転送時間を減算して残りの転送時間を算出し、全体のデータサイズと、受信データサイズとデータ受信回数とによって定まる受信済みデータのサイズとの比率によってデータ受信率を算出する。そして、残りのデータ転送時間及びデータ受信率を、図３に示された例のように表示部１０４に表示することによって、使用者に通知する。
【００４１】
このように、この例の携帯端末の赤外線データ転送方法では、携帯電話機の赤外線データ転送中に、送信側携帯電話機から送信されるファイルサイズの情報によって、送信側携帯電話機と受信側携帯電話機とにおいて、残りのデータ転送時間とデータ転送率とを表示して、使用者に通知するようにしたので、携帯電話機使用者が感じる、赤外線データ転送中に残りのデータ転送時間がわからないために生じる煩わしさを軽減することができる。
【００４２】
第１実施例においては、送信側携帯電話機が受信側携帯電話機にファイルサイズを送信するものとしたが、送信側携帯電話機がファイルサイズを送信しない場合でも、受信側携帯電話機において、送信側携帯電話機から送られる可能性のあるデータの最大サイズを使用することによって、送信側携帯電話機がファイルサイズを送信する場合と比較して表示精度は低下するが、残りのデータ転送時間とデータ受信率とを表示して使用者に通知することができる。
【００４３】
◇第２実施例
図７は、本発明の第２実施例である携帯端末の赤外線データ転送方法における受信側端末のデータ転送処理を示すフローチャートである。
以下、図７に示すフローチャートを参照して、この例の携帯端末の赤外線データ転送方法を説明する。
まず、受信側携帯電話機は送信側携帯電話機からデータのファイル名を受信する（ステップ７０１）。受信側携帯電話機はこのファイル名によって、受信するデータオブジェクトを特定する。次に受信側携帯電話機は、そのデータベースから受信するデータオブジェクトに対応する最大のデータサイズを取得し、この最大データサイズを通信速度で除算して、赤外線データの全体の転送時間を算出する（ステップ７０２）。
【００４４】
そして、表示部１０４において、残りのデータ転送時間とデータ受信率とを表示する（ステップ７０３）。残りのデータ転送時間は、全体のデータ転送時間から、これまでのデータ転送時間を１秒ごとに減算することによって算出される。また、データ受信率は、全体のデータサイズと、転送データサイズ（パケットサイズ）とデータ転送回数（転送パケット数）とによって定まる転送済みデータサイズとの比率によって決定される。
【００４５】
その後、データ転送を繰り返して行い、その都度、データ転送が完了したか否かをみて（ステップ７０４）、未完了の場合は次の１回分のパケットデータを受信し（ステップ７０５）、表示部１０４のデータ受信率を更新する（ステップ７０６）処理を繰り返して行い、データ転送が完了したときは、処理を終了する。
【００４６】
これによって、表示部１０４において、残りのデータ転送時間とデータ受信率との表示が行われるが、この場合の表示例は、図３に示された第１実施例の場合と同様である。
【００４７】
このように、この例の携帯端末の赤外線データ転送方法によれば、第１実施例の場合と同様に、携帯電話機の使用者は、赤外線データ転送中に残りのデータ転送時間がわからないために生じる煩わしさを軽減することができる。
この例の場合、受信側携帯電話機において送信側携帯電話機からファイルサイズを受信しないので、第１実施例の場合と比較して表示精度は低下するが、携帯電話機の使用者が感じる赤外線データ転送中の煩わしさを軽減する目的は、同様に達成することができる。なお、送信側携帯電話機は、ファイルサイズの情報を有していれば、第１実施例の場合と同様に、精度を落とすことなく、残りのデータ転送時間とデータ送信率とを表示することができる。
【００４８】
以上、この発明の実施例を図面により詳述してきたが、具体的な構成はこの実施例に限られたものではなく、この発明の要旨を逸脱しない範囲の設計の変更等があってもこの発明に含まれる。例えば、本発明の携帯端末の赤外線データ転送方法は、携帯電話機に限らず、ＰＤＡ（Ｐｅｒｓｏｎａｌ  Ｄａｔａ  Ａｓｓｉｓｔａｎｔ  ）等の他の種類の携帯端末において赤外線データ転送手段を備えている場合にも適用することが可能である。なお、第２実施例において、送信側携帯電話機から送られる可能性のあるデータの最大サイズは、受信するデータオブジェクトに対応する最大のデータサイズに限らず、他の種類のデータの最大サイズであってもよい。また、携帯端末は、データ転送を赤外線によって行う代わりに、通信用周波数と異なる周波数の微弱な無線信号によって行うものであってもよく、又は超音波信号によって行うものであってもよい。
【００４９】
【発明の効果】
以上説明したように、本発明の携帯端末の赤外線データ転送方法によれば、携帯端末の赤外線データ転送中に、残りのデータ転送時間とデータ転送率とを表示して、使用者に通知するようにしたので、携帯端末使用者が感じる、赤外線データ転送中に、残りのデータ転送時間がわからないために生じる煩わしさを軽減することができる。
【図面の簡単な説明】
【図１】本発明の携帯端末の赤外線データ転送方法が適用される携帯電話機の構成例を示すブロック図である。
【図２】本発明の第１実施例である携帯端末の赤外線データ転送方法における赤外線制御ソフトウエアの構成を示すブロック図である。
【図３】本発明の携帯端末の赤外線データ転送方法における赤外線データ転送時間及びデータ受信率の表示を示す図である。
【図４】本発明の携帯端末の赤外線データ転送方法における全体の動作を説明するフローチャートである。
【図５】本発明の第１実施例である携帯端末の赤外線データ転送方法における受信側携帯端末のデータ転送処理を示すフローチャートである。
【図６】同実施例の携帯端末の赤外線データ転送方法における赤外線転送の手順を示すシーケンスチャートである。
【図７】本発明の第２実施例である携帯端末の赤外線データ転送方法における受信側携帯端末のデータ転送処理を示すフローチャートである。
【図８】従来の携帯電話機における赤外線データ転送時の手順を示す図である。
【符号の説明】
１０１      アンテナ
１０２      無線部
１０３      赤外線デバイス
１０４      表示部（表示手段）
１０５      操作部
１０６      制御部
１０７      音声処理部
１０８      スピーカ
１０９      レシーバ
１１０      マイク
１１１      ＣＰＵ
【図１】
2004282512.tif 000003
【図２】
2004282512.tif 000004
【図３】
2004282512.tif 000005
【図４】
2004282512.tif 000006
【図５】
2004282512.tif 000007
【図６】
2004282512.tif 000008
【図７】
2004282512.tif 000009
【図８】
2004282512.tif 000010